(57)【要約】【課題】無意識の顧客を掘り起こすことができるとともに、環境負荷を低減することができる電子広告支援システム及び電子広告支援方法を提供する。【解決手段】電子広告支援システムは、電子広告支援サーバ１と、電子広告支援データベース２と、通信ネットワーク３と、通信ネットワーク３を介して接続された自己記録性を有する表示部を有する電子広告装置６とを備えている。電子広告支援サーバ１は、電子広告装置６で表示する広告に関する広告情報を取得し、電子広告支援データベース２に記憶する。また、電子広告支援サーバ１は、広告情報の表示に関するスケジュール情報を取得し、電子広告支援データベース２に記憶する。そして、電子広告支援サーバ１は、スケジュール情報から広告情報を表示する電子広告装置６を特定し、特定した電子広告装置６に広告情報を送信する。【選択図】　　図１
2004117907.tif 000002
【特許請求の範囲】
【請求項１】
電子広告装置を用いた電子広告を支援する電子広告支援システムであって、
前記電子広告装置で表示する広告に関する広告情報を取得する広告情報取得手段と、
前記広告情報取得手段により取得された広告情報を記憶する広告情報記憶手段と、
前記広告情報記憶手段に記憶された広告情報の表示に関するスケジュール情報を取得するスケジュール情報取得手段と、
前記スケジュール情報取得手段により取得されたスケジュール情報を記憶するスケジュール情報記憶手段と、
前記スケジュール情報記憶手段により記憶されたスケジュール情報から広告情報を表示する電子広告装置を特定する電子広告装置特定手段と、
前記電子広告装置特定手段により特定された電子広告装置または該特定された電子広告装置を運用する運用者用情報端末に、前記広告情報記憶手段に記憶された広告情報を送信する広告情報送信手段と、
を備え、
前記電子広告装置は、自己記録性を有する表示部を備える、ことを特徴とする電子広告支援システム。
【請求項２】
広告発注企業からの広告の発注に関する発注情報を取得する発注情報取得手段と、
前記発注情報取得手段により取得された発注情報を記憶する発注情報記憶手段と、
広告作成実績及び現在の作業状況を含む広告作成企業に関する情報を記憶する広告作成企業情報記憶手段と、
前記発注情報記憶手段に記憶された発注情報と、広告作成企業情報記憶手段に記憶された広告作成実績及び現在の作業状況とから、広告作成企業を特定する広告作成企業特定手段と、
前記広告作成企業特定手段により特定された広告作成企業に、前記発注情報記憶手段に記憶された発注情報を送信する発注情報送信手段と、
を、さらに備える、ことを特徴とする請求項１に記載の電子広告支援システム。
【請求項３】
前記表示部は、一対の基板間に電圧を印可した後も表示状態を維持可能な材料及び電極の構成を有する、ことを特徴とする請求項１または２に記載の電子広告支援システム。
【請求項４】
前記材料及び電極の構成は、粒子の電気泳動現象を示す構成、カイラル剤添加のコレステリック液晶からなる構成、または、電気力線に沿って一定の方向性をもって粒子が回転もしくは移動して配列する性質を有する構成である、ことを特徴とする請求項３に記載の電子広告支援システム。
【請求項５】
電子広告装置を用いた電子広告を支援する電子広告支援方法であって、
前記電子広告装置で表示する広告に関する広告情報を取得する広告情報取得ステップと、
前記広告情報取得ステップで取得された広告情報を記憶する広告情報記憶ステップと、
前記広告情報記憶ステップで記憶された広告情報の表示に関するスケジュール情報を取得するスケジュール情報取得ステップと、
前記スケジュール情報取得ステップで取得されたスケジュール情報を記憶するスケジュール情報記憶ステップと、
前記スケジュール情報記憶ステップで記憶されたスケジュール情報から広告情報を表示する電子広告装置を特定する電子広告装置特定ステップと、
前記電子広告装置特定ステップで特定された電子広告装置または該特定された電子広告装置を運用する運用者用情報端末に、前記広告情報記憶ステップで記憶された広告情報を送信する広告情報送信ステップと、
を備え、
前記電子広告装置には、自己記録性を有する表示部が用いられている、ことを特徴とする電子広告支援方法。
【請求項６】
広告発注企業からの広告の発注に関する発注情報を取得する発注情報取得ステップと、
前記発注情報取得ステップで取得された発注情報を記憶する発注情報記憶ステップと、
広告作成実績及び現在の作業状況を含む広告作成企業に関する情報を記憶する広告作成企業情報記憶ステップと、
前記発注情報記憶ステップで記憶された発注情報と、広告作成企業情報記憶ステップで記憶された広告作成実績及び現在の作業状況とから、広告作成企業を特定する広告作成企業特定ステップと、
前記広告作成企業特定ステップで特定された広告作成企業に、前記発注情報記憶ステップで記憶された発注情報を送信する発注情報送信ステップと、
を、さらに備える、ことを特徴とする請求項５に記載の電子広告支援方法。
【請求項７】
電子広告装置を用いた電子広告を支援する電子広告支援システムとして機能させるためのプログラムであって、
コンピュータを、
自己記録性を有する表示部を備える電子広告装置で表示する広告に関する広告情報を取得する広告情報取得手段、
前記広告情報取得手段により取得された広告情報を記憶する広告情報記憶手段、
前記広告情報記憶手段に記憶された広告情報の表示に関するスケジュール情報を取得するスケジュール情報取得手段、
前記スケジュール情報取得手段により取得されたスケジュール情報を記憶するスケジュール情報記憶手段、
前記スケジュール情報記憶手段により記憶されたスケジュール情報から広告情報を表示する電子広告装置を特定する電子広告装置特定手段、
前記電子広告装置特定手段により特定された電子広告装置または該特定された電子広告装置を運用する運用者用情報端末に、前記広告情報記憶手段に記憶された広告情報を送信する広告情報送信手段、
として機能させるためのプログラム。
【発明の詳細な説明】
【０００１】
【発明の属する技術分野】
本発明は、電子広告支援システム及び電子広告支援方法に関し、詳しくは、電子ディスプレイのような電子広告装置を用いた電子広告を支援する電子広告支援システム及び電子広告支援方法に関する。
【０００２】
【従来の技術】
航空機、船舶、鉄道車両等の乗物の壁面や天井部に、ポスターや看板を設置したり、商業施設や駅構内の壁面にポスターや看板を設置したりすることにより、乗物の利用者や繁華街を通る通行人に商品を広告し、商品の宣伝、広告効果を高めた広告方法が知られている。
【０００３】
このような広告方法では、例えば、列車の一車両には１００枚近くのポスターが掲示され、列車が１０両編成の場合、列車一台についてポスターが１０００枚掲示されている。このような大量のポスターは定期的に交換され、かつ廃棄処分されている。このため、地球資源の大量消費を生んでいる。しかも、ポスターの交換作業はすべて人手によるため、運搬・搬送・回収等に膨大な労力を要することになる。このため、ポスター等の紙媒体を用いずに、液晶ディスプレーやＬＥＤ等により広告を行うことが検討されている。
【０００４】
紙媒体を用いない広告方法としては、例えば、顧客の携帯電話等の携帯通信端末の表示部に広告を表示させる広告方法がある（例えば、特許文献１参照。）。
【０００５】
【特許文献１】
特開２００２−８４３６８
【０００６】
【発明が解決しようとする課題】
このような広告方法は、特定の商品に関する広告内容を知りたいという意思を有する顧客が予め登録することにより、特定の商品に関する広告内容を知ることができる。このため、ポスター等による広告方法のように、広告された商品に関心を持っていない不特定多数の人々に商品の広告を行うことができず、いわゆる無意識の顧客を掘り起こすことまではできない。
【０００７】
また、街頭等に設置された電子広告装置等に広告内容を表示することにより、無意識の顧客を掘り起こすことは可能である。しかし、電子広告装置は、例えば、オ−ロラビジョンに代表されるように一般的に大型であり、電力消費量が多くなってしまい、環境負荷の面で問題があった。さらに、特定の商品に関する広告の発注から作成、配信までのシステムが確立されておらず、商品の広告を行いたい顧客にとって利用しづらいものであった。
【０００８】
本発明は、上記問題に鑑みてなされたものであり、無意識の顧客を掘り起こすことができるとともに、環境負荷を低減することができる電子広告支援システム及び電子広告支援方法を提供することを目的とする。
また、本発明は、電子広告装置を用いた電子広告を支援することができる電子広告支援システム及び電子広告支援方法を提供することを目的とする。
【０００９】
【課題を解決するための手段】
上記目的を達成するため、本発明の第１の観点にかかる電子広告支援システムは、
電子広告装置を用いた電子広告を支援する電子広告支援システムであって、
前記電子広告装置で表示する広告に関する広告情報を取得する広告情報取得手段と、
前記広告情報取得手段により取得された広告情報を記憶する広告情報記憶手段と、
前記広告情報記憶手段に記憶された広告情報の表示に関するスケジュール情報を取得するスケジュール情報取得手段と、
前記スケジュール情報取得手段により取得されたスケジュール情報を記憶するスケジュール情報記憶手段と、
前記スケジュール情報記憶手段により記憶されたスケジュール情報から広告情報を表示する電子広告装置を特定する電子広告装置特定手段と、
前記電子広告装置特定手段により特定された電子広告装置または該特定された電子広告装置を運用する運用者用情報端末に、前記広告情報記憶手段に記憶された広告情報を送信する広告情報送信手段と、
を備え、
前記電子広告装置は、自己記録性を有する表示部を備える、ことを特徴とする。
【００１０】
広告発注企業からの広告の発注に関する発注情報を取得する発注情報取得手段と、
前記発注情報取得手段により取得された発注情報を記憶する発注情報記憶手段と、
広告作成実績及び現在の作業状況を含む広告作成企業に関する情報を記憶する広告作成企業情報記憶手段と、
前記発注情報記憶手段に記憶された発注情報と、広告作成企業情報記憶手段に記憶された広告作成実績及び現在の作業状況とから、広告作成企業を特定する広告作成企業特定手段と、
前記広告作成企業特定手段により特定された広告作成企業に、前記発注情報記憶手段に記憶された発注情報を送信する発注情報送信手段と、
を、さらに備えてもよい。
【００１１】
前記表示部は、一対の基板間に電圧を印可した後も表示状態を維持可能な材料及び電極の構成を有してもよい。
【００１２】
前記材料及び電極の構成は、粒子の電気泳動現象を示す構成、カイラル剤添加のコレステリック液晶からなる構成、または、電気力線に沿って一定の方向性をもって粒子が回転もしくは移動して配列する性質を有する構成であってもよい。
【００１３】
本発明の第２の観点にかかる電子広告支援方法は、
電子広告装置を用いた電子広告を支援する電子広告支援方法であって、
前記電子広告装置で表示する広告に関する広告情報を取得する広告情報取得ステップと、
前記広告情報取得ステップで取得された広告情報を記憶する広告情報記憶ステップと、
前記広告情報記憶ステップで記憶された広告情報の表示に関するスケジュール情報を取得するスケジュール情報取得ステップと、
前記スケジュール情報取得ステップで取得されたスケジュール情報を記憶するスケジュール情報記憶ステップと、
前記スケジュール情報記憶ステップで記憶されたスケジュール情報から広告情報を表示する電子広告装置を特定する電子広告装置特定ステップと、
前記電子広告装置特定ステップで特定された電子広告装置または該特定された電子広告装置を運用する運用者用情報端末に、前記広告情報記憶ステップで記憶された広告情報を送信する広告情報送信ステップと、
を備え、
前記電子広告装置には、自己記録性を有する表示部が用いられている、ことを特徴とする。
【００１４】
広告発注企業からの広告の発注に関する発注情報を取得する発注情報取得ステップと、
前記発注情報取得ステップで取得された発注情報を記憶する発注情報記憶ステップと、
広告作成実績及び現在の作業状況を含む広告作成企業に関する情報を記憶する広告作成企業情報記憶ステップと、
前記発注情報記憶ステップで記憶された発注情報と、広告作成企業情報記憶ステップで記憶された広告作成実績及び現在の作業状況とから、広告作成企業を特定する広告作成企業特定ステップと、
前記広告作成企業特定ステップで特定された広告作成企業に、前記発注情報記憶ステップで記憶された発注情報を送信する発注情報送信ステップと、
を、さらに備えてもよい。
【００１５】
本発明の第３の観点にかかるプログラムは、
電子広告装置を用いた電子広告を支援する電子広告支援システムとして機能させるためのプログラムであって、
コンピュータを、
自己記録性を有する表示部を備える電子広告装置で表示する広告に関する広告情報を取得する広告情報取得手段、
前記広告情報取得手段により取得された広告情報を記憶する広告情報記憶手段、
前記広告情報記憶手段に記憶された広告情報の表示に関するスケジュール情報を取得するスケジュール情報取得手段、
前記スケジュール情報取得手段により取得されたスケジュール情報を記憶するスケジュール情報記憶手段、
前記スケジュール情報記憶手段により記憶されたスケジュール情報から広告情報を表示する電子広告装置を特定する電子広告装置特定手段、
前記電子広告装置特定手段により特定された電子広告装置または該特定された電子広告装置を運用する運用者用情報端末に、前記広告情報記憶手段に記憶された広告情報を送信する広告情報送信手段、
として機能させることを特徴とする。
【００１６】
【発明の実施の形態】
以下、本発明の実施の形態にかかる電子広告支援システム及び電子広告支援方法について説明する。
【００１７】
図１に、本実施の形態の電子広告支援システムの構成を示す。図１に示すように、電子広告支援システムは、電子広告支援サーバ１と、電子広告支援データベース２と、通信ネットワーク３と、通信ネットワーク３を介して接続された広告作成企業用端末４（４１〜４ｎ）と、通信ネットワーク３を介して接続された広告発注企業用端末５（５１〜５ｍ）と、電子広告装置６（６１〜６ｘ）と、から構成されている。
【００１８】
電子広告支援サーバ１は、電子広告支援システムに関する各種の処理をするためのものである。電子広告支援サーバ１は、例えば、ＣＰＵ（Ｃｅｎｔｒａｌ　Ｐｒｏｃｅｓｓｉｎｇ　Ｕｎｉｔ）や半導体メモリ、磁気ディスク記録装置などから構成されている。図２に電子広告支援サーバ１の構成図を示す。
【００１９】
図２に示すように、電子広告支援サーバ１は、通信制御部１１と、登録処理部１２と、受注処理部１３と、表示処理部１４と、請求処理部１５とを備えている。これらは、例えば、電子広告支援サーバ１が備えるＣＰＵにより磁気ディスク記録装置から読み出された動作プログラムを実行する等により実現される。
【００２０】
通信制御部１１は、例えば、ルータなどの所定の通信装置から構成され、電子広告支援サーバ１と通信ネットワーク３とを接続する。通信制御部１１は、通信ネットワーク３を介して、広告作成企業用端末４や広告発注企業用端末５や電子広告装置６との間で、各種データ（情報）の送受信を行う。
【００２１】
登録処理部１２は、電子広告支援データベース２に各種のデータを格納することにより、電子広告支援システムに加入した企業等に関する情報、広告する広告内容に関する情報等を登録するためのものである。
【００２２】
受注処理部１３は、広告発注企業からの広告依頼に関する処理をするためのものである。受注処理部１３は、例えば、広告発注企業からの広告依頼に応じて、適切な広告作成企業を選定する。この場合、受注処理部１３は、通信ネットワーク３を介して入手した広告発注企業からの広告依頼の内容、納期、金額等と、広告作成企業の作業負荷情報、実績等とから、適切な広告作成企業を選定する。なお、広告発注企業は、広告依頼の際に、特定の広告作成企業を指定してもよい。
【００２３】
表示処理部１４は、広告の表示に関する処理をするためのものである。表示処理部１４は、例えば、所定の広告に関する情報を所定の電子広告装置６に表示する。この表示処理部１４は、広告発注企業からの広告依頼内容、電子広告装置の使用状況、処理能力等に関する情報を基に、最も効率的に広告に関する情報を表示することが好ましい。
【００２４】
請求処理部１５は、主に会計データを取り扱い、費用に関する処理をするためのものである。また、請求処理部１５は、電子広告支援システムに加入している企業間における費用の精算ならびに出金、入金状況の管理、未入金の確認を行ってもよい。
【００２５】
電子広告支援データベース２は、電子広告支援システムに関する各種の情報を記憶するデータベース（ＤＢ）である。図３に電子広告支援データベース２の構成を示す。図３に示すように、電子広告支援データベース２は、広告発注企業ＤＢ２１と、広告作成企業ＤＢ２２と、電子広告装置情報ＤＢ２３と、広告発注情報ＤＢ２４と、広告情報ＤＢ２５と、スケジュール情報ＤＢ２６と、広告履歴ＤＢ２７と、広告料金ＤＢ２８と、請求ＤＢ２９と、画像情報ＤＢ３０と、を備えている。
【００２６】
広告発注企業ＤＢ２１は、広告発注企業に関する情報を記憶するデータベースである。広告発注企業ＤＢ２１には、例えば、図４に示すように、広告発注企業のＩＤ毎にレコードが作成され、各レコードには、氏名／名称、住所／所在地、メールアドレス、パスワード等が記憶されている。ここで、広告発注企業のＩＤは、広告発注企業の識別情報である。氏名／名称及び住所／所在地は、その広告発注企業の氏名／名称及び住所／所在地である。メールアドレスは、広告発注企業の電子メールのアドレス（Ｅ−ｍａｉｌアドレス）である。パスワードは、広告発注企業が電子広告支援システムにログインするためのパスワードである。
【００２７】
広告作成企業ＤＢ２２は、広告作成企業に関する情報を記憶するデータベースである。広告作成企業ＤＢ２２には、例えば、図５に示すように、広告作成企業のＩＤ毎にレコードが作成され、各レコードには、氏名／名称、住所／所在地、メールアドレス、パスワード等が記憶されている。
【００２８】
電子広告装置情報ＤＢ２３は、各電子広告装置６に関する情報を記憶するデータベースである。電子広告装置情報ＤＢ２３には、例えば、図６に示すように、電子広告装置番号毎にレコードが作成され、各レコードには、電子広告装置６の位置、大きさ等が記憶されている。電子広告装置番号は、広告を表示する電子広告装置６を特定する番号である。電子広告装置６の位置は、電子広告装置６が設置されている場所である。電子広告装置６の大きさは、電子広告装置６の表示領域の大きさ（サイズ）である。
【００２９】
広告発注情報ＤＢ２４は、広告発注企業が発注した広告内容に関する情報を記憶するデータベースである。広告発注情報ＤＢ２４には、例えば、図７に示すように、発注番号毎にレコードが作成され、各レコードには、広告発注企業のＩＤ、広告作成企業のＩＤ、作成状況、発注内容等が記憶されている。発注内容は、依頼の内容、納期、金額等である。
【００３０】
広告情報ＤＢ２５は、電子広告支援システムで広告の対象となる情報を記憶するデータベースである。広告情報ＤＢ２５には、例えば、図８に示すように、広告番号毎にレコードが作成され、各レコードには、広告発注企業のＩＤ、広告作成企業のＩＤ、広告内容を示す画像データファイル等が記憶されている。広告番号は、広告に関する情報を特定する番号である。
【００３１】
スケジュール情報ＤＢ２６は、所定の電子広告装置６から所定の広告に関する情報（例えば、画像データ）を表示するスケジュールに関する情報を記憶するデータベースである。スケジュール情報ＤＢ２６には、例えば、図９に示すように、スケジュール番号毎にレコードが作成され、各レコードには、広告番号、電子広告装置番号、広告開始時間、広告終了時間等が記憶されている。スケジュール番号は、広告を表示するスケジュール情報を特定する番号である。広告開始時間及び広告終了時間は、広告の表示を開始及び終了する時間である。
【００３２】
広告履歴ＤＢ２７は、電子広告装置６により広告された広告履歴に関する情報を記憶するデータベースである。広告履歴ＤＢ２７には、例えば、図１０に示すように、広告番号毎にレコードが作成され、各レコードには、電子広告装置番号、広告開始時間、広告終了時間等が記憶されている。
【００３３】
広告料金ＤＢ２８は、広告料金の算出に関する情報を記憶するデータベースである。広告料金ＤＢ２８には、例えば、電子広告装置の種類、表示時間による料金等が記憶されている。そして、電子広告支援サーバ１が、広告料金ＤＢ２８に記憶された広告の料金に関する情報と、広告履歴ＤＢ２７に記憶された広告履歴に関する情報とから、広告料金を算出する。
【００３４】
請求ＤＢ２９は、電子広告支援システムの請求書を発行するためのデータベースである。請求ＤＢ２９には、例えば、図１１に示すように、請求の日付、広告発注企業のＩＤ、氏名／名称、住所／所在地、金額等の情報が記憶されている。
【００３５】
画像情報ＤＢ３０は、後述する各処理で表示される様々な画像を構成する情報を記憶するデータベースであり、これらの画像を生成するための様々な素材の画像、各種フォームなどを記憶する。
【００３６】
通信ネットワーク３は、例えば、インターネット、ＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）等から構成されている。
【００３７】
広告作成企業用端末４（４１〜４ｎ）は、通信機能を有するコンピュータ、携帯端末などから構成されている。広告作成企業用端末４には、ブラウザがインストールされている。広告作成企業用端末４は、広告作成企業から電子広告支援システムへの要求入力、その他の操作入力等を行う。
【００３８】
広告発注企業用端末５（５１〜５ｍ）は、通信機能を有するコンピュータ、携帯端末などから構成されている。広告発注企業用端末５には、ブラウザがインストールされている。広告発注企業用端末５は、広告発注企業から電子広告支援システムへの要求入力、その他の操作入力等を行う。
【００３９】
電子広告装置６は、自己記録性を有する表示部（表示パネル）を備えている。自己記録性を有する表示パネルとは、電力ＯＦＦの状態でも継続して表示可能な記録性を有することをいう。このため、電子広告装置６は、電源ＯＦＦの状態でも自己記録性により、広告内容を表示することができる。すなわち、電子広告装置６は、広告内容の書き換え時にのみ電力を必要とし、それ以外は電力を必要としない電子広告装置である。図１２及び図１３に電子広告装置６の一例を示す。
【００４０】
図１２は、風雨に直接曝される環境を考慮したソリッドタイプの電子広告装置の分解斜視図である。図１２に示すように、電子広告装置６は、表示パネル６１と、カバー６２と、コネクタ６３とを、備えている。表示パネル６１には、自己記録性を有し、いわゆる紙媒体の視認性に近い反射型電子表示媒体（ＰＬＤ：Ｐａｐｅｒ　Ｌｉｋｅ　Ｄｉｓｐｌａｙ）が用いられている。カバー６２は表示パネル６１の前面に配置され、風雨等から表示パネル６１を保護する役割を有する。コネクタ６３は、表示パネル６１の側面に取付可能に構成され、広告に関する情報を表示パネル６１に送る。一般に、このような図１２に示すソリッドタイプの電子広告装置６は、比較的低い位置の電子広告装置に用いられる。
【００４１】
図１３（ａ）及び図１３（ｂ）は室内、車両内、ビルの内壁に設置するシ−ト状の極薄タイプの電子広告装置を示す図である。図１３（ａ）及び図１３（ｂ）の電子広告装置６は、いずれも耐候性を保証すべく最表面が透明な樹脂で被覆されている。電子広告装置６の表示パネルの構成は図１２の表示パネルと同じである。また、フレキシブルな樹脂シ−ト内には、電源及び無線通信に対するＩＣ回路をもつ受信部が内蔵されている。電子広告装置６に、図１３に示すような薄型かつフレキシブルな形態を有する表示パネルを用いると、従来のポスター等と同様の取扱いが可能になる。
【００４２】
以上のような電子広告装置６の表示パネルとしては、ツイストボ−ルタイプの表示パネル、電気泳動タイプの表示パネル、カイラル材添加型コレスティック液晶タイプの表示パネル等がある。図１４〜図１６に代表的な表示パネルの表示原理図を示す。図１４は電気泳動タイプの表示パネルの原理図である。図１５は、カイラルネマティックス液晶を使用した表示パネルの原理図である。図１６（ａ）はマイクロカプセルを樹脂中に埋め込んだ表示パネルの例であり、図１６（ｂ）は樹脂中に球状の空洞を設けた表示パネルの例である。
【００４３】
図１４に示すように、電気泳動タイプの表示パネルのセル６４内には、青色染料が溶解された液体６５が充填され、この液体６５中に、直径１０μｍ程度の負の荷電を有する白色荷電粒子６６（例えば、複写機のトナー）が分散されている。また、セル６４の背面（図１４の右側）には、電極により部分的に帯電可能な絶縁フィルム６７が配置されている。そして、白色で表示したい領域について、この領域に対向する位置の絶縁フィルム６７を部分的に負帯電させ、白色荷電粒子６６を表面側に移動させる。これにより、青地の表示パネルに白色のパターンが表示される。
【００４４】
この原理では、絶縁フィルム６７帯電後１００ｍ秒の応答性で白色荷電粒子６６が移動する。駆動バイアスはパネルの構成にもよるが、一般的には３Ｖ〜１００Ｖ程度である。絶縁フィルム６７の帯電が消失しても、白色荷電粒子６６の位置は１ヶ月位は変化しない。このため、電源を切っても１ヶ月位は形成された画像が表示される。
【００４５】
図１５はカイラルネマティックス液晶を使用した表示体の原理図である。対向する透明電極間に駆動制御部からそれぞれ所定のパルス電圧を印可すると、特定波長の可視光を選択的に反射するプレ−ナ状態（図１５（ａ））、フォーカルコニック状態（図１５（ｂ））、ホメオトロピック状態（図１５（ｃ））が生じる。電圧無印可時には、プレ−ナ状態やフォーカルコニック状態となり、電圧印可時には、液晶分子が対向電極面に垂直に配向し光が全透過、すなわちＢｌａｃｋ状態となるホメオトロピック状態となる。
【００４６】
液晶へのカイラル剤の添加量によりヘリカルピッチを変化させることができるため、カラー表示することができる。Ｂｌｕｅ／Ｇｒｅｅｎ／Ｒｅｄの積層タイプ下に吸収層膜を配置することで簡単に表示パネルを提供することが可能である。また、電圧印可を取り除く速度によって光学反射率を０〜２０％までコントロ−ルすることができる。
【００４７】
図１６（ａ）は、マイクロカプセルを樹脂中に埋め込んだ例である。カプセル内には電気泳動タイプと同様に、染料入りの液体と荷電粒子が封入されている。対向電極の電界によって粒子が上下に移動して表示機能を果たす。図１６（ｂ）は樹脂中に球状の空洞（Ｃａｖｉｔｙ）が存在する例である。カプセルの内部には絶縁体の半面が導体材料で着色されたボ−ルがある。ボ−ルと空洞との間には微小な空間が設けられており、この空間に液体が充満されている。電界に従ってボ−ルが回転することにより、着色領域と非着色領域とを自由に生成することができる。
【００４８】
以上のような表示方式では、すべて情報書き換え時にのみ電力を必要とし、それ以外には電力を必要としない。一般にパソコンなどの消費電力の８０％以上は表示を維持するためにだけ使われていることからも、このような電子広告装置６を用いることにより、消費電力を大きく削減することができる。
【００４９】
次に、以上のように構成された電子広告支援システムを用いた電子広告支援方法について説明する。以下、事前登録、電子広告支援システムへのログイン、広告の発注、広告内容の登録、広告の予約、広告の表示の順に説明する。
【００５０】
（事前登録）
広告発注企業及び広告作成企業の担当者が電子広告支援システムを利用するには、電子広告支援システムに事前に登録をすることが必要になる。以下、広告発注企業等の事前登録について説明する。
【００５１】
広告発注企業の担当者は、広告発注企業用端末５から、通信ネットワーク３を介して電子広告支援サーバ１に、広告発注企業の名称、住所、メールアドレス、支払い方法等の情報を電子広告支援サーバ１に送信する。電子広告支援サーバ１は、広告発注企業の名称等の情報を受け取ると、広告発注企業ＩＤ及びパスワードを発行し、例えば、メールで広告発注企業用端末５に広告発注企業ＩＤ及びパスワードを送信する。また、電子広告支援サーバ１は、送信された所定の情報、広告発注企業ＩＤ及びパスワードを広告発注企業ＤＢ２１に登録する。
【００５２】
また、広告作成企業の担当者は、広告作成企業用端末４から、広告作成企業の名称、住所等の情報を、通信ネットワーク３を介して電子広告支援サーバ１に送信する。電子広告支援サーバ１は、広告作成企業の名称等の情報を受け取ると、広告作成企業ＩＤ及びパスワードを発行し、例えば、メールで広告作成企業用端末４に広告作成企業ＩＤ及びパスワードを送信する。また、電子広告支援サーバ１は、送信された所定の情報、広告作成企業ＩＤ及びパスワードを広告作成企業ＤＢ２２に登録する。
【００５３】
（ログイン）
広告発注企業等の担当者が事前登録で送信されたＩＤ（ログイン名）及びパスワードを入力することにより、電子広告支援システムに接続することができる。以下、広告発注企業の担当者が電子広告支援システムにログインする場合について説明する。
【００５４】
広告発注企業の担当者が広告発注企業用端末５から通信ネットワーク３を介して電子広告支援サーバ１が提供するホームページのログイン画面にアクセスすると、電子広告支援サーバ１は、図１７のフローチャートに示す処理を開始する。
【００５５】
まず、電子広告支援サーバ１は、図１８に示すようなログイン画面用ページ（ＨＴＭＬ形式の情報）を画像情報ＤＢ３０から読み出して広告発注企業用端末５に送信し、広告発注企業用端末５にログイン画面用ページを表示する（ステップＳ１）。このページには、ログイン名、パスワードを入力する入力欄が配置されている。
【００５６】
広告発注企業の担当者は、この画面上で、ログイン名とパスワードとを入力し、「送信」をクリックする。広告発注企業の担当者がログイン名とパスワードを入力し、「送信」をクリックすると、通信ネットワーク３を介して入力事項が電子広告支援サーバ１に通知される。
【００５７】
電子広告支援サーバ１は、この通知に対して、入力された情報が広告発注企業ＤＢ２１に登録されているか否かを判別する（ステップＳ２）。
【００５８】
電子広告支援サーバ１は、広告発注企業ＤＢ２１に登録されていないと判別した場合（ステップＳ２；Ｎｏ）、図示しない会員登録案内のページの情報（ＨＴＭＬ文書）を広告発注企業用端末５に送信し、広告発注企業用端末５に登録案内のページを表示させ（ステップＳ３）、この処理を終了する。
【００５９】
一方、電子広告支援サーバ１は、広告発注企業ＤＢ２１に登録されていると判別した場合（ステップＳ２；Ｙｅｓ）、図１９に示すようなメニューページの情報（ＨＴＭＬ形式の情報）を画像情報ＤＢ３０から読み出して広告発注企業用端末５に送信し、広告発注企業用端末５にメニューページを表示し（ステップＳ４）、この処理を終了する。この図１９に示すメニューページには、広告を発注する「広告の発注」、広告内容を登録する「広告内容の登録」、広告を予約する「広告の予約」等のメニュー欄が配置されている。
【００６０】
また、広告作成企業の担当者がログインする場合には、広告作成企業用端末４から通信ネットワーク３とを介して電子広告支援サーバ１が提供するホームページのログイン画面にアクセスし、同様の処理を行う。
【００６１】
広告発注企業等の担当者は、図１９に示すメニューページから「広告の発注」、「広告内容の登録」、及び「広告の予約」をクリックすることにより、広告の発注、広告内容の登録、及び広告の予約を行うことができる。
【００６２】
（広告の発注）
次に、広告発注企業が広告を発注する広告発注処理を、図２０のフローチャートを参照して説明する。なお、以下に説明する広告発注処理は、主に、電子広告支援サーバ１の受注処理部１３により実行される。
【００６３】
まず、電子広告支援サーバ１は、図１９に示すメニューページを広告発注企業用端末５に表示させる（ステップＳ１１）。次に、電子広告支援サーバ１は、メニューページから「広告の発注」が選択（クリック）されているか否かを判別する（ステップＳ１２）。すなわち、広告発注企業の担当者がメニューページから「広告の発注」をクリックしたか否かを判別する。電子広告支援サーバ１は、「広告の発注」がクリックされていないと判別すると（ステップＳ１２；Ｎｏ）、この処理を終了する。
【００６４】
電子広告支援サーバ１は、「広告の発注」がクリックされていると判別すると（ステップＳ１２；Ｙｅｓ）、図示しない発注用ページの情報（ＨＴＭＬ形式の情報）を画像情報ＤＢ３０から読み出して広告発注企業用端末５に送信し、広告発注企業用端末５に発注用ページを表示する（ステップＳ１３）。広告発注企業の担当者は、広告発注企業用端末５に表示された発注用ページに従って広告発注に関する情報、例えば、発注した内容（例えば、コンセプト）、納期、金額を入力し、入力した情報を電子広告支援サーバ１に送信する。
【００６５】
次に、電子広告支援サーバ１は、必要な情報が入力されているか否かを判別する（ステップＳ１４）。電子広告支援サーバ１は、必要な情報が入力されていないと判別すると（ステップＳ１４；Ｎｏ）、必要な情報が入力されていない旨の情報を広告発注企業用端末５に表示（送信）し、広告発注企業の担当者に再度必要な情報の入力を求める。
【００６６】
電子広告支援サーバ１は、必要な情報が入力されていると判別すると（ステップＳ１４；Ｙｅｓ）、送信された広告発注に関する情報に応じて、適切な広告作成企業を選定する（ステップＳ１５）。ここで、電子広告支援サーバ１は、例えば、広告発注情報ＤＢ２４から、各広告作成企業の作業状況（作業負荷情報）、広告内容のコンセプト別、広告発注企業別の広告作成実績のリストを作成し、このリストから適切な広告作成企業を選定する。ただし、送信された情報に特定の広告作成企業が指定されている場合には、指定された広告作成企業を選定する。
【００６７】
次に、電子広告支援サーバ１は、広告発注企業から送信された広告発注に関する情報を、選定した広告作成企業の広告作成企業用端末４に送信する（ステップＳ１６）。これにより、広告発注企業から広告作成企業に広告の発注が行われたこととなる。最後に、広告発注情報ＤＢ２４に、広告発注に関する情報を登録し（ステップＳ１７）、この処理を終了する。
【００６８】
（広告内容の登録）
続いて、作成された広告内容を登録する広告内容登録処理を図２１のフローチャートを参照して説明する。本例では、広告作成企業の担当者が広告内容を登録する場合について説明する。なお、以下に説明する広告内容登録処理は、主に、電子広告支援サーバ１の登録処理部１２により実行される。
【００６９】
まず、電子広告支援サーバ１は、図１９に示すメニューページを広告作成企業用端末４に表示させる（ステップＳ２１）。次に、電子広告支援サーバ１は、メニューページから「広告内容の登録」がクリックされているか否かを判別する（ステップＳ２２）。電子広告支援サーバ１は、「広告内容の登録」がクリックされていないと判別すると（ステップＳ２２；Ｎｏ）、この処理を終了する。
【００７０】
電子広告支援サーバ１は、「広告内容の登録」がクリックされていると判別すると（ステップＳ２２；Ｙｅｓ）、作成された広告内容に関する情報の送信を要求する（ステップＳ２３）。広告作成企業の担当者は、この要求に応え、広告作成企業用端末４を操作して、作成した広告内容に関する情報を電子広告支援サーバ１に送信する。
【００７１】
次に、電子広告支援サーバ１は、必要な情報を受信したか否かを判別する（ステップＳ２４）。電子広告支援サーバ１は、必要な情報を受信していないと判別すると（ステップＳ２４；Ｎｏ）、必要な情報を受信していない旨の情報を広告作成企業用端末４に表示（送信）し、広告作成企業の担当者に再度必要な情報の送信を求める。
【００７２】
電子広告支援サーバ１は、必要な情報を受信していると判別すると（ステップＳ２４；Ｙｅｓ）、受信した広告内容に関する情報を広告情報ＤＢ２５に登録し（ステップＳ２５）、この処理を終了する。
【００７３】
なお、このような広告内容登録処理は、広告作成企業の担当者の他、広告発注企業の担当者も行うことができる。この場合、広告発注企業の担当者は、図１９に示すメニューページから「広告内容の登録」をクリックすることにより、前述と同様に、広告内容登録処理を行うことができる。
【００７４】
（広告の予約）
次に、広告を予約する広告予約処理を図２２のフローチャートを参照して説明する。なお、以下に説明する広告予約処理は、主に、電子広告支援サーバ１の登録処理部１２により実行される。
【００７５】
まず、電子広告支援サーバ１は、図１９に示すメニューページを広告発注企業用端末５に表示させる（ステップＳ３１）。次に、電子広告支援サーバ１は、メニューページから「広告の予約」がクリックされているか否かを判別する（ステップＳ３２）。電子広告支援サーバ１は、「広告の予約」がクリックされていないと判別すると（ステップＳ３２；Ｎｏ）、この処理を終了する。
【００７６】
電子広告支援サーバ１は、「広告の予約」がクリックされていると判別すると（ステップＳ３２；Ｙｅｓ）、図示しない予約用ページの情報（ＨＴＭＬ形式の情報）を画像情報ＤＢ３０から読み出して広告発注企業用端末５に送信し、広告発注企業用端末５に予約用ページを表示する（ステップＳ３３）。広告発注企業の担当者は、広告発注企業用端末５に表示された予約用ページに従って広告の予約に関する情報、例えば、広告番号、広告日時、広告場所等を入力し、入力した情報を電子広告支援サーバ１に送信する。
【００７７】
次に、電子広告支援サーバ１は、必要な情報が入力されているか否かを判別する（ステップＳ３４）。電子広告支援サーバ１は、必要な情報が入力されていないと判別した場合（ステップＳ３４；Ｎｏ）、必要な情報が入力されていない旨を示し、広告発注企業の担当者に再度必要な情報の入力を要求する。
【００７８】
電子広告支援サーバ１は、必要な情報が入力されていると判別した場合（ステップＳ３４；Ｙｅｓ）、予約が重複しているか否かを判別する（ステップＳ３５）。電子広告支援サーバ１は、予約が重複していると判別した場合（ステップＳ３５；Ｙｅｓ）、予約が重複している旨を示し、広告発注企業の担当者に再度必要な情報の入力を要求する。
【００７９】
電子広告支援サーバ１は、予約が重複していないと判別した場合（ステップＳ３５；Ｎｏ）、予約の内容をスケジュール情報ＤＢ２６に登録し（ステップＳ３６）、この処理を終了する。
【００８０】
（広告の表示）
続いて、広告を表示する広告表示処理を図２３のフローチャートを参照して説明する。本実施の形態では、図９に示すようなスケジュール番号：Ｓ０００１（広告番号：Ｋ０００１、電子広告装置番号：Ｍ０１）の場合を例に、広告の表示について説明する。なお、以下に説明する広告表示処理は、主に、電子広告支援サーバ１の表示処理部１４により実行される。
【００８１】
まず、電子広告支援サーバ１は、スケジュール情報ＤＢ２６に登録された予約日（９月１８日）の広告開始時間（９時００分００秒）の所定時間前に、予約された広告番号：Ｋ０００１の広告に関する情報を特定し（ステップＳ４１）、特定した広告番号：Ｋ０００１の広告に関する情報を電子広告装置番号：Ｍ０１の電子広告装置に送信する（ステップＳ４２）。
【００８２】
次に、電子広告支援サーバ１は、広告開始時間（９時００分００秒）になると、広告番号：Ｋ０００１の画像データを、電子広告装置番号：Ｍ０１の電子広告装置に表示した後（ステップＳ４３）、電子広告装置番号：Ｍ０１の電子広告装置の電源を切る（電源ＯＦＦ）（ステップＳ４４）。
【００８３】
本実施の形態では、電源ＯＦＦの状態でも広告内容を表示することができる電子広告装置６を用いているので、電子広告装置番号：Ｍ０１の電子広告装置の電源を切っても、電子広告装置番号：Ｍ０１に広告番号：Ｋ０００１の画像データが継続して表示される。このため、電子広告装置番号：Ｍ０１の消費電力を大幅に削減することができ、環境負荷を大幅に低減することができる。また、電子広告装置番号：Ｍ０１に広告番号：Ｋ０００１の画像データが表示されるので、無意識の顧客を掘り起こすことができる。
【００８４】
また、電子広告装置６に広告内容を表示しているので、ポスター等の印刷、印刷物の回収／廃棄と言った作業が不要になる。さらに、広告の更新頻度、時間、場所を自由に選択することができる。このため、短時間のみの広告を行うことも可能になる。例えば、従来のように定型的な掲示期間を前提とした契約から、一日単位とか数時間または数分単位の広告契約も可能になり、タイムリーさを必要とする業界の広告も可能になる。また、従来であれば、全国規模の広告表示は中小企業ではコストが掛かり過ぎて実現困難であったが、本発明により、現実的になり、地方の無名ではあるが優良な企業でも一般国民に認知され、ビジネス活動に有益な可能性をもたらすことができる。従って、広告業界全体としての大幅な利用増加をもたらすことが可能になる。
【００８５】
続いて、電子広告支援サーバ１は、広告終了時間（２２時００分００秒）になると、広告番号：Ｋ０００１の画像データの表示を終了し（ステップＳ４５）、広告履歴を作成する（ステップＳ４６）。本実施の形態では、広告番号：Ｋ０００１、電子広告装置番号：Ｍ０１、広告開始時間：９時００分００秒、広告終了時間：２２時００分００秒等の広告履歴を作成する。そして、電子広告支援サーバ１は、作成した広告履歴を広告履歴ＤＢ２７に登録し（ステップＳ４７）、この処理を終了する。
【００８６】
電子広告装置番号：Ｍ０１に広告番号：Ｋ０００１の画像データが表示され、広告履歴が広告履歴ＤＢ２７に登録すると、電子広告支援サーバ１は、広告料金を算出する。例えば、電子広告支援サーバ１は、広告履歴ＤＢ２７に登録された広告履歴に関する情報を広告料金ＤＢ２８に登録された広告料金に関する情報に代入して、広告料金を算出する。そして、電子広告支援サーバ１は、広告料金を算出すると、請求ＤＢ２９に登録された情報から請求書を作成し、広告発注企業に作成した請求書を送付する。なお、これらの作業は、主に、電子広告支援サーバ１の請求処理部１５により実行される。
【００８７】
以上説明したように、本実施の形態によれば、電子広告装置６による広告画像が表示されるので、無意識の顧客を掘り起こすことができる。さらに、電源ＯＦＦの状態でも広告内容を表示することができる電子広告装置６を用いているので、電子広告装置６の消費電力を大幅に削減することができ、環境負荷を大幅に低減することができる。
【００８８】
本実施の形態によれば、ポスター等の印刷、印刷物の回収／廃棄と言った作業が不要になるので、広告の更新頻度、時間、広告場所を自由に選択することができる。
【００８９】
本実施の形態によれば、電子広告支援システムにより、広告の発注から作成、配信までのシステムが確立され、商品の広告を行いたい顧客が利用しやすくなる。このため、電子広告装置６を用いた電子広告を支援することができる。
【００９０】
なお、本発明は、上記の実施の形態に限られず、種々の変形、応用が可能である。以下、本発明に適用可能な他の実施の形態について説明する。
【００９１】
上記実施の形態では、電子広告支援サーバ１が複数の電子広告装置６の管理及び運用を行った場合を例に本発明を説明したが、本発明はこれに限定されるものではなく、例えば、図２４に示すように、電子広告支援システムの構成に、電子広告装置に替えて、電子広告装置を運用する運用会社の運用会社用端末７を設けてもよい。この場合、運用会社が、電子広告装置に表示する広告内容の変更等の電子広告装置の運用を行う。具体的には、例えば、電子広告支援サーバ１からのスケジュールに従い、図２５に示すように、専用の端末７１を用いて電子広告装置６に表示する広告内容を変更する。このように、運用会社により電子広告装置６を運用すると、無線の中継施設がない場所でも電子広告装置６の表示の切り替え等を行うことができる。
【００９２】
電子広告支援システムの構成に、さらに、本システムを管理する管理団体の管理団体用端末を設けてもよい。管理団体は、例えば、電子広告装置の一括製造依頼ならびに売り切りもしくはレンタル処理業務を行う。この場合、大量発注のメリットならびに規格の統一化を図ることで安価で安定したサ−ビスを地域格差なく提供できる。また、管理団体は、広告の契約条件の決定に関し、一定の保証額を提示して、不必要な価格破壊を防止する役割を有してもよい。この場合、顧客に対する課金がなく、加入企業の利益を安定して維持することができる。さらに、管理団体に加入企業の納期の遵守や金融決済の履行に関する危険性の事前審査の実施をさせてもよい。
【００９３】
電子広告支援サーバ１は、受注情報と実績情報から管理データを作成してもよい。この場合、例えば、企業毎、地域毎に集計して管理データを作成することにより、管理データをフィードバックして改善効率を図ることができる。
【００９４】
本発明の実施の形態にかかる電子広告支援サーバ１は、専用のシステムによらず、通常のコンピュータシステムを用いて実現可能である。例えば、汎用コンピュータに、上述の処理を実行するためのプログラムを格納した記録媒体（フレキシブルディスク、ＣＤ−ＲＯＭなど）から当該プログラムをインストールすることにより、上述の処理を実行する電子広告支援サーバ１を構成することができる。
【００９５】
そして、これらのプログラムを供給するための手段は任意である。上述のように所定の記録媒体を介して供給できる他、例えば、通信回線、通信ネットワーク、通信システムなどを介して供給してもよい。この場合、例えば、通信ネットワークの掲示板（ＢＢＳ）に当該プログラムを掲示し、これをネットワークを介して搬送波に重畳して提供してもよい。そして、このように提供されたプログラムを起動し、ＯＳの制御下で、他のアプリケーションプログラムと同様に実行することにより、上述の処理を実行することができる。
【００９６】
【発明の効果】
以上説明したように、本発明によれば、無意識の顧客を掘り起こすことができるとともに、環境負荷を低減することができる。
【図面の簡単な説明】
【図１】本発明の実施の形態に係る電子広告支援システムの構成を示す図である。
【図２】図１の電子広告支援サーバの構成を示す図である。
【図３】図１の電子広告支援データベースの構成を示す図である。
【図４】広告発注企業データベースの構成を示す図である。
【図５】広告作成企業データベースの構成を示す図である。
【図６】電子広告装置情報データベースの構成を示す図である。
【図７】広告発注情報データベースの構成を示す図である。
【図８】広告情報データベースの構成を示す図である。
【図９】スケジュール情報データベースの構成を示す図である。
【図１０】広告履歴データベースの構成を示す図である。
【図１１】請求データベースの構成を示す図である。
【図１２】電子広告装置の一例を示す図である。
【図１３】電子広告装置の一例を示す図である。
【図１４】電子広告装置の表示パネルの原理の一例を示す図である。
【図１５】電子広告装置の表示パネルの原理の一例を示す図である。
【図１６】電子広告装置の表示パネルの原理の一例を示す図である。
【図１７】ログイン処理を説明するためのフローチャートである。
【図１８】ログイン画面用ページの一例を示す図である。
【図１９】メニューページの一例を示す図である。
【図２０】広告発注処理を説明するためのフローチャートである。
【図２１】広告内容登録処理を説明するためのフローチャートである。
【図２２】広告予約処理を説明するためのフローチャートである。
【図２３】広告表示処理を説明するためのフローチャートである。
【図２４】他の実施の形態に係る電子広告支援システムの構成を示す図である。
【図２５】他の実施の形態に係る電子広告支援システムでの電子広告装置の表示画面の切替を示す図である。
【符号の説明】
１　　電子広告支援サーバ
２　　電子広告支援データベース
３　　通信ネットワーク
４　　広告作成企業用端末
５　　広告発注企業用端末
６　　電子広告装置
２１　広告発注企業データベース
２２　広告作成企業データベース
２３　電子広告装置情報データベース
２４　広告発注情報データベース
２５　広告情報データベース
２６　スケジュール情報データベース
２７　広告履歴データベース
２８　広告料金データベース
２９　請求データベース
３０　画像情報データベース
【図１】
2004117907.tif 000003
【図２】
2004117907.tif 000004
【図３】
2004117907.tif 000005
【図４】
2004117907.tif 000006
【図５】
2004117907.tif 000007
【図６】
2004117907.tif 000008
【図７】
2004117907.tif 000009
【図８】
2004117907.tif 000010
【図９】
2004117907.tif 000011
【図１０】
2004117907.tif 000012
【図１１】
2004117907.tif 000013
【図１２】
2004117907.tif 000014
【図１３】
2004117907.tif 000015
【図１４】
2004117907.tif 000016
【図１５】
2004117907.tif 000017
【図１６】
2004117907.tif 000018
【図１７】
2004117907.tif 000019
【図１８】
2004117907.tif 000020
【図１９】
2004117907.tif 000021
【図２０】
2004117907.tif 000022
【図２１】
2004117907.tif 000023
【図２２】
2004117907.tif 000024
【図２３】
2004117907.tif 000025
【図２４】
2004117907.tif 000026
【図２５】
2004117907.tif 000027